(57)【要約】【課題】幹事の手間を省力化することのできる、振込金額の照合装置、システム及びプログラムを提供する。【解決手段】振込金額照合装置としてのサーバ３０は、振込予定者及び振込予定者からの振込予定金額を記憶する振込予定記憶部３２と、入金処理に応じて、入金処理による振込金額と振込予定記憶部３２に記憶された振込予定金額とを照合する振込照合部３３と、振込照合部の照合の結果を振込予定者に報知する振込情報制御部３１と、を備える。更に、サーバ３０は、複数の振込予定金額に関連付けられる所定の識別情報を入力するための識別情報入力部３７を備え、所定の識別情報の照合により振込予定金額を振込予定者に報知する。【選択図】図２
2012038172.tif 000002
【特許請求の範囲】
【請求項１】
振込予定者及び前記振込予定者からの振込予定金額を記憶する振込予定記憶部と、
入金処理に応じて、前記入金処理による振込金額と前記振込予定記憶部に記憶された前記振込予定金額とを照合する振込照合部と、
前記振込照合部の照合の結果を前記振込予定者に報知する振込情報制御部と、を備える、
振込金額照合装置。
【請求項２】
前記振込情報制御部は、前記振込照合部による照合において前記振込金額が前記振込予定金額に満たない場合に前記振込予定者に不足金額を報知する、
請求項１に記載の振込金額照合装置。
【請求項３】
前記振込情報制御部は、前記振込予定者が新たに入金処理を開始するときに前記不足金額を報知する、
請求項２に記載の振込金額照合装置。
【請求項４】
前記振込情報制御部は、前記振込照合部による照合において前記振込金額が前記振込予定金額と異なる場合に前記振込予定者に前記振込予定金額を報知する、
請求項１に記載の振込金額照合装置。
【請求項５】
前記振込情報制御部は、前記振込予定者が入金処理を開始するときに前記振込予定金額を報知する、
請求項１に記載の振込金額照合装置。
【請求項６】
前記振込予定記憶部に記憶される前記振込予定金額は、所定の識別情報に関連付けられており、
更に、前記所定の識別情報を入力するための識別情報入力部を備え、
前記振込照合部は、前記振込予定金額に関連付けられている所定の識別情報と、前記識別情報入力部により入力された所定の識別情報とを照合し、
振込情報制御部は、前記振込照合部の照合において前記所定の識別情報が一致する場合に、前記振込予定金額を前記振込予定者に報知する、
請求項１に記載の振込金額照合装置。
【請求項７】
前記所定の識別情報は、複数の前記振込予定金額に関連付けられる、
請求項６に記載の振込金額照合装置。
【請求項８】
サーバと端末とを備え、
前記端末は、振込予定者による入金処理を前記サーバに送信し、
前記サーバは、前記振込予定者及び前記振込予定者からの振込予定金額を記憶する振込予定記憶部と、
前記端末が送信した入金処理に応じて、前記入金処理による振込金額と前記振込予定記憶部に記憶された前記振込予定金額とを照合する振込照合部と、
前記振込照合部の照合の結果を前記端末に送信する振込情報制御部と、を有する、
振込金額照合システム。
【請求項９】
振込予定者及び前記振込予定者からの振込予定金額を記憶する振込予定記憶ステップと、
入金処理に応じて、前記入金処理による振込金額と前記振込予定記憶ステップにおいて記憶された前記振込予定金額とを照合する振込照合ステップと、
前記振込照合ステップにおける照合の結果を前記振込予定者に報知する振込情報制御ステップと、
をコンピュータに実行させる、振込金額照合プログラム。
【発明の詳細な説明】
【技術分野】
【０００１】
本発明は、参加者からの振込時の振込金額を幹事に代行して照合する振込金額照合装置、振込金額照合システム及び振込金額照合プログラムに関する。
【背景技術】
【０００２】
従来、通信接続された端末とサーバとを用いて、参加者及び不参加者の情報、各参加者の課金及び決済等の処理を、幹事に代行して自動的に行うシステムが開発されてきた。
【０００３】
例えば、特許文献１には、ＷＷＷサーバを用いて参加候補者のグルーピング管理、開催案内情報の同報周知、参加者の自動集計及び料金徴収を、幹事に代行して行う幹事代行システムが開示されている。特許文献２には、割勘決裁を行うグループ毎に幹事クレジットカード情報を記憶する決済サーバを用いて、幹事の権限で割勘金額を自由に調整して決裁し、利用者の利便性を向上させるクレジットカード決済システムが開示されている。特許文献３には、入金情報及び入金予定情報を入力する通信制御装置及び入力装置を用いて、入金情報及び入金予定情報の照合処理を自動的に行う、入金照合の自動照合装置が開示されている。特許文献４には、請求額が変動する場合に、債務者からの入金があったときに正確な余剰額あるいは不足額を算出して入金消込みを行う入金消込装置が開示されている。
【先行技術文献】
【特許文献】
【０００４】
【特許文献１】特開２００２−１８３３６５号公報
【特許文献２】特開２００９−２３０３１２号公報
【特許文献３】特開２０００−２８５１８８号公報
【特許文献４】特開２００６−４０１１４号公報
【発明の概要】
【発明が解決しようとする課題】
【０００５】
しかしながら、前述の代行システム、カード決済システム、自動照合装置又は入金消込装置等は、単独のイベントについての債務管理を主目的とするものである。同じ幹事が複数のイベントを主催する場合等において、いくつかのイベントに参加する参加者は、イベントごとに精算の手間を必要とする一方、幹事の側ではイベントごとに参加者と振込金額との照合を行う手間を必要としていた。したがって、複数のイベントにまたがって参加する参加者からの振込金額の照合等において、参加者及び幹事の双方の手間をより省力化することのできる振込金額の照合装置が求められている。
【０００６】
そこで、本発明は上記問題点に鑑みなされたものであって、参加者及び幹事の双方の手間を省力化することのできる、振込金額の照合装置、システム及びプログラムを提供することを目的とする。
【課題を解決するための手段】
【０００７】
上記課題を解決するために、第１の発明の振込金額照合装置は、振込予定者及び振込予定者からの振込予定金額を記憶する振込予定記憶部と、入金処理に応じて、入金処理による振込金額と振込予定記憶部に記憶された振込予定金額とを照合する振込照合部と、振込照合部の照合の結果を振込予定者に報知する振込情報制御部と、を備える。
【０００８】
本発明によれば、振込予定者からの入金処理に対して、当該入金処理による振込金額と振込予定金額とを照合して、結果を振込予定者に報知する振込金額照合装置を提供することができる。
【０００９】
上記発明の振込金額照合装置において、振込情報制御部は、振込照合部による照合において振込金額が振込予定金額に満たない場合に振込予定者に不足金額を報知する。本発明によれば、振込予定者は、不足金額が発生する場合に報知を受けることができる。具体的な報知の形態としては、自動預払機等の表示部を用いる画面表示等が挙げられるが、限定されない。
【００１０】
上記発明の振込金額照合装置において、振込情報制御部は、振込予定者が新たに入金処理を開始するときに不足金額を報知する。本発明によれば、振込予定者は、入金処理の開始時点において、以前の入金処理に不足金額が発生していた場合に報知を受けることができ、入金処理の状況を容易に知ることができる。
【００１１】
上記発明の振込金額照合装置において、振込情報制御部は、振込照合部による照合において振込金額が振込予定金額と異なる場合に振込予定者に振込予定金額を報知する。本発明によれば、振込予定者は、手操作による振込金額の入力等を行った場合に、入力した振込金額が振込予定金額と異なる場合に、報知を受けることができる。
【００１２】
上記発明の振込金額照合装置において、振込情報制御部は、振込予定者が入金処理を開始するときに振込予定金額を報知する。本発明によれば、振込予定者は、手操作による振込金額の入力等に先立って、入金処理の開始時に振込予定金額の報知を受けることができる。
【００１３】
上記発明の振込金額照合装置において、振込予定記憶部に記憶される振込予定金額は、所定の識別情報に関連付けられており、振込金額照合装置は、更に、所定の識別情報を入力するための識別情報入力部を備え、振込照合部は、振込予定金額に関連付けられている所定の識別情報と、識別情報入力部により入力された所定の識別情報とを照合し、振込情報制御部は、振込照合部の照合において所定の識別情報が一致する場合に、振込予定金額を振込予定者に報知する。本発明によれば、振込金額照合装置は、振込予定金額に関連付けられる所定の識別情報としての振込予定者氏名等と、識別情報入力部により入力された所定の識別情報としての振込予定者氏名等とを、照合することができる。したがって、本発明に係る振込金額照合装置は、異なる金融機関の間で送受信される送金処理等においても、振込予定者氏名等の情報の照合の結果を用いて、入金処理による振込金額と振込予定記憶部に記憶された振込予定金額とを照合することができ、照合の結果を振込予定者に報知することができる。
【００１４】
上記発明の振込金額照合装置において、所定の識別情報は、複数の振込予定金額に関連付けられる。本発明によれば、振込金額照合装置は、振込予定金額に関連付けられている所定の識別情報を複数の振込予定金額に関連付けることができる。本発明に係る振込金額照合装置は、例えば、特定の振込予定者と複数の振込予定金額との間に関連付けを行うことができる。したがって、当該特定の振込予定者は、複数の振込予定金額について照合の結果の報知を受けることができる。
【００１５】
第２の発明の振込金額照合システムは、サーバと端末とを備え、端末は、振込予定者による入金処理をサーバに送信し、サーバは、振込予定者及び振込予定者からの振込予定金額を記憶する振込予定記憶部と、端末が送信した入金処理に応じて、入金処理による振込金額と振込予定記憶部に記憶された振込予定金額とを照合する振込照合部と、振込照合部の照合の結果を端末に送信する振込情報制御部と、を有する。
【００１６】
本発明によれば、端末を用いる振込予定者からの入金処理に対して、サーバが当該入金処理による振込金額と振込予定金額とを照合し、結果を振込予定者に報知する、振込金額照合システム提供することができる。
【００１７】
第３の発明の振込金額照合プログラムは、振込予定者及び振込予定者からの振込予定金額を記憶する振込予定記憶ステップと、入金処理に応じて、入金処理による振込金額と振込予定記憶ステップにおいて記憶された振込予定金額とを照合する振込照合ステップと、振込照合ステップにおける照合の結果を振込予定者に報知する振込情報制御ステップと、をコンピュータに実行させる。
【００１８】
本発明によれば、振込予定者からの入金処理に対して、当該入金処理による振込金額と振込予定金額とを照合して、結果を振込予定者に報知する振込金額照合プログラムを提供することができる。
【発明の効果】
【００１９】
本発明によれば、参加者ごとの債務の合算ができ、参加者及び幹事の双方の手間を省力化することのできる、振込金額の照合装置、システム及びプログラムを提供することができる。
【図面の簡単な説明】
【００２０】
【図１】本発明の実施形態に係る振込金額照合システム５０の構成を例示する図である。
【図２】本発明の実施形態に係る振込金額照合システム５０に含まれる装置の機能ブロック図である。
【図３】本発明の実施形態に係るサーバ３０の振込予定記憶部３２に記憶される振込予定データベース７０のデータ構造を示す図である。
【図４】本発明の実施形態に係る端末４５の操作画面を示す説明図である。
【図５】本発明の実施形態に係る端末４５の操作画面を示す説明図である。
【図６】本発明の実施形態に係る端末４５の操作画面を示す説明図である。
【図７】本発明の実施形態に係る端末４５の操作画面を示す説明図である。
【図８】本発明の実施形態に係る端末４５の操作画面を示す説明図である。
【図９】本発明の実施形態に係る集金予定登録の処理を表すフロー図である。
【図１０】本発明の実施形態に係る集金振込の処理を表すフロー図である。
【図１１】本発明の実施形態に係る複数の集金振込をまとめて行う処理を表すフロー図である。
【図１２】本発明の実施形態に係る現金自動預払機１、サーバ３０及びユーザ端末４０Ａ、４０Ｂのハードウェア構成の一例を示す図である。
【発明を実施するための形態】
【００２１】
以下、添付図面を参照して、本発明を実施するための形態（以下、実施形態）について詳細に説明する。なお、実施形態の説明の全体を通して同じ要素には同じ番号を付している。
【００２２】
図１は、本発明の実施形態に係る振込金額照合システム５０の構成を例示する図である。振込金額照合装置としてのサーバ３０は、ネットワーク２０を介して、端末としての現金自動預払機１及びユーザ端末４０（図１に示したパーソナルコンピュータ４０Ａ、携帯電話機４０Ｂ）に接続する。現金自動預払機１は、銀行や日本郵政株式会社等の金融機関や、コンビニエンスストア等の店舗に設置されるＡＴＭの機能を有する。ネットワーク２０は、好適にはインターネット等の広域ネットワークであるが、これに限定されず、金融機関の専用回線等であってもよい。例えば、サーバ３０と現金自動預払機１との間を金融機関の専用回線によって接続し、サーバ３０とユーザ端末４０との間をインターネット等の広域ネットワークで接続してもよい。好適には、ユーザ端末４０は、ブラウザが動作可能なネットワーク端末装置であり、サーバ３０はユーザ端末４０に対するウェブサーバであり、ユーザ端末４０とサーバ３０との間の通信は、ＳＳＬ（Secure  Socket  Layer）等のセキュリティプロトコルを用いて行われる。
【００２３】
図２は、本発明の実施形態に係る振込金額照合システム５０に含まれる装置の機能ブロック図である。図２に示すように、サーバ３０は、振込情報制御部３１、振込予定記憶部３２、振込照合部３３、記憶部３４、送受信部３５、表示部３６及び識別情報入力部３７を備えている。振込情報制御部３１は、端末４５に送信するメッセージの生成、振込予定記憶部３２への情報の記憶及びこれからの情報の検索、表示部３６又は端末４５の表示手段（表示部５、表示部４４等）に表示する情報の生成等を制御するために用いられる。振込予定記憶部３２に記憶される情報については、図３を示して後述する。表示部３６は、金融機関担当者等が、イベント幹事等の集金者又はイベント参加者等の振込予定者に替わって、振込金額照合システム５０に対する操作を行うために使用することができる。以下の説明においては、イベント幹事等の集金者又はイベント参加者等の振込予定者が、端末４５からネットワーク２０を介してサーバ３０に接続する状況について示す。
【００２４】
現金自動預払機１は、制御部２、記憶部３、操作受付部４、表示部５、カード取扱部６、通帳取扱部７、現金取扱部８及び送受信部９を備える。ユーザ端末４０は、制御部４１、記憶部４２、操作受付部４３、表示部４４及び送受信部４５を備える。すなわち、本発明の実施形態に係る振込金額照合システム５０において、ユーザ端末４０は、現金自動預払機１のカード取扱部６、通帳取扱部７及び現金取扱部８以外の構成要素を備えている。現金自動預払機１及びユーザ端末４０は、サーバ３０に対する端末４５として動作する。
【００２５】
以下、現金自動預払機１で代表して端末４５の動作を説明するが、現金の預け払いを除き、ユーザ端末４０もまた端末４５として動作することができる。
【００２６】
図３は、本発明の実施形態に係るサーバ３０の振込予定記憶部３２に記憶される振込予定データベース７０のデータ構造を示す図である。サーバ３０は、サーバ３０と端末４５（例えば、現金自動預払機１）とが通信可能に接続される振込金額照合システム５０において、端末４５から送信される集金予定の登録を、振込予定データベース７０のデータ構造を用いて振込予定記憶部３２に記憶すると共に、端末４５からの送信要求に基づいて、この振込予定データベース７０に記憶された情報から振込予定金額を検索することができる。
【００２７】
図３に示すように、本実施形態の振込予定データベース７０のデータ構造においては、一つの集金予定識別子について、複数の振込予定者識別子を関連付けることができる。具体的には、本実施形態において、サーバ３０は、ある幹事が主催する一つのイベントに複数の参加者が参加して、それぞれの参加者ごとに振込予定金額が割り当てられる状況等を、この振込予定データベース７０のデータ構造を用いて振込予定記憶部３２に記憶することができる。集金者識別子は、例えば、幹事を識別するために用いることができる。集金者名は、例えば、幹事の氏名を格納するために設けることができる。振込予定者識別子は、それぞれの参加者を識別するための識別子として用いることができ、振込予定者名は、それぞれの参加者の氏名を格納するために設けることができる。振込予定金額は、特定の集金予定識別子と関連付けられている振込予定者が、現金自動預払機１等を用いて振込を行う予定の金額を格納するために用いられる。
【００２８】
図３に例示する振込予定データベース７０においては、集金予定識別子が「Ａ００１」である情報は３つあり、いずれも集金者識別子は「００２５６」であり、集金者名は「Ｓ」である。これらの３つの情報は、振込予定者識別子が「１０４３２」、「１０４３３」及び「１０４３４」である別個の情報と関連付けられており、それぞれに異なる振込予定者名及び振込予定金額と関連付けられる。具体的には、振込予定者識別子が「１０４３２」である情報は、振込予定者名が「Ａ」であり振込予定金額が「８，０００円」である情報と関連付けられる。振込予定者識別子が「１０４３３」である情報は、振込予定者名が「Ｂ」であり振込予定金額が「１０，０００円」である情報と関連付けられる。振込予定者識別子が「１０４３４」である情報は、振込予定者名が「Ｃ」であり振込予定金額が「５，０００円」である情報と関連付けられる。したがって、集金予定識別子が「Ａ００１」である情報は、「Ａ」、「Ｂ」及び「Ｃ」の３名の振込予定者からそれぞれ「８，０００円」、「１０，０００円」及び「５，０００円」の金額が、集金者名「Ｓ」に振り込まれるという予定を記憶するために用いられている。
【００２９】
更に、図３に例示する振込予定データベース７０において、集金予定識別子が「Ａ００２」である情報は、前述の集金予定識別子「Ａ００１」と同じ集金者名「Ｓ」に対して、振込予定者「Ａ」が「４，０００円」の金額を振り込む予定であるという予定を記憶するために用いられている。
【００３０】
また更に、図３に例示する振込予定データベース７０において、集金予定識別子が「Ａ００３」である情報は、集金者識別子が「００７３４」であり集金者名が「Ｔ」である集金者に対して、振込予定者「Ａ」及び振込予定者「Ｄ」のそれぞれが「３，５００円」及び「６，０００円」の金額を振り込む予定であるという予定を記憶するために用いられている。振込予定者「Ａ」は、集金予定識別子が「Ａ００１」及び「Ａ００２」である情報にも含まれているので、図３の振込予定データベース７０において振込予定者識別子「１０４３２」に関連付けられる情報を検索すると、集金予定識別子が「Ａ００１」、「Ａ００２」及び「Ａ００３」が検索され、これらの集金予定識別子に関連付けられている集金者名を知ることもできる。
【００３１】
したがって、図３に例示する振込予定データベース７０において、一方では、一つの集金予定識別子を用いて情報を検索すると、複数の振込予定者識別子を検索することができ、それぞれの振込予定者識別子に関連付けられている振込予定者名及び振込予定金額を知ることができる。他方では、一つの振込予定者識別子を用いて情報を検索すると、複数の集金予定識別子を検索することができ、それぞれの集金予定識別子に関連付けられている集金者名を知ることもできる。
【００３２】
このようにして、本実施形態の振込予定データベース７０のデータ構造は、一つの集金予定識別子に複数の振込予定者識別子を関連付け、複数の振込予定者名及び振込予定金額を記憶することができる。したがって、振込予定データベース７０において、集金予定識別子を検索キーとして、複数の振込予定者名及び振込予定金額を検索することができる。更に、本実施形態の振込予定データベース７０のデータ構造は、このように記憶された情報について、振込予定者識別子を検索キーとして、複数の集金予定識別子、集金者名及び振込予定金額を検索することもできる。したがって、振込予定データベース７０を用いることにより、特定の振込予定者が複数の振込予定を有していることを、知ることができる。
【００３３】
図３に示した振込予定データベース７０に格納される情報は、上述に限定されず、適宜追加することができる。例えば、一つの集金予定識別子に対してコメント情報を関連付けて記憶し、集金予定者や振込予定者が振込予定データベース７０を使用するときに表示し、「平成２２年４月１日のお花見食事会」等の当事者間において分かりやすい名称を用いて、振込予定データベース７０を使用してもよい。また、例えば、一つの集金予定識別子に対して集金用の銀行口座の情報を関連付けて記憶してもよい。
【００３４】
また、図３に示した振込予定データベース７０は、集金者識別子に関連付けられる集金者名を編集することにより、例えば、幹事を代行者に変更する等の、振込予定の引継の情報を記憶するために用いることも可能である。このような引継が行われた場合に、編集のあった集金者名との関連付けを有する振込予定者に対して、サーバ３０は、表示部５を用いる画面表示等によって、集金者名の変更があったことを報知してもよい。
【００３５】
図４から図８は、本発明の実施形態に係る端末４５の操作画面を示す説明図である。図４、図６及び図８は、イベント幹事等の集金者による操作画面の操作を例示しており、図５及び図７は、イベント参加者等の振込予定者による操作画面の操作を例示している。現金自動預払機１の利用者が集金者であるか、あるいは振込予定者であるかは、カード又は通帳を現金自動預払機１に受け付けて認証する時点で、振込予定データベース７０に格納されている情報から集金者識別子を有する利用者であるか、振込予定者識別子を有する利用者であるかに基づいて自動的に認証してもよく、図４から図８に示す操作メニューに「集金予定登録」と「集金振込」との両者を表示しておき、「集金予定登録」が指定された場合には集金者として認証し、「集金振込」が指定された場合には振込予定者として認証してもよく、適宜設計できる。以下、現金自動預払機１で代表して端末４５の動作を説明する。
【００３６】
図４から図８に例示する操作画面は、現金自動預払機１においては、表示部５による表示の上に設けられる、タッチパネル等を用いた操作受付部４により構成され、表示部５に表示される画面上のボタン等に顧客が触れることにより、現金自動預払機１に対する顧客の操作が入力として受け付けられる。パーソナルコンピュータ４０Ａ又は携帯電話機４０Ｂにおいては、操作受付部４は、それぞれが備えるキーボード又はキーパッド等の入力装置、及びマウス等のポインティングデバイスにより構成され、表示部５は、ディスプレイ装置又はディスプレイパネル等により構成される。
【００３７】
図４は、具体的には、イベント幹事等の集金者による操作画面の操作を例示している。図４（ａ）に示す操作画面は、現金自動預払機１の表示部５の所定領域内に、「払い出し」、「入金」、「振込」、「集金予定登録」及び「残高確認」を表す画面上のボタン５Ａ〜５Ｅを含む。
【００３８】
現金自動預払機１は、通常のＡＴＭと同様に通帳又はカードを受け付け、サーバ３０と通信して顧客を認証する。顧客により、画面上のボタン５Ｄ「集金予定登録」が選択されると、表示部５は、図４（ｂ）のようになる。
【００３９】
図４（ｂ）において、表示部５には、「集金予定登録」というメッセージを表示する領域５Ｆ、「振込予定の入力（振込予定者）（振込予定金額）」というメッセージを含む画面上のボタン５Ｇ、振込予定を保存して集金予定登録を終了するための「保存して終了」という表示を含む画面上のボタン５Ｗ、及び以前の操作に戻るための「戻る」という表示を含む画面上のボタン５Ｚが表示される。イベント幹事等の集金者が画面上のボタン５Ｇを指定することにより、イベント参加者等の振込予定者と当該振込予定者に対する振込予定金額とを関連付ける操作を行うことができる。関連付けられた情報は、イベント幹事等の集金者が画面上のボタン５Ｗを指定することにより、サーバ３０に送信され、図３に示した振込予定データベース７０のデータ構造を用いて振込予定記憶部３２に格納される。当該集金者の情報は、振込予定データベース７０における集金者名及び集金者識別子と関連付けられる。
【００４０】
図４（ｃ）は、前述の画面上のボタン５Ｗが指定され、振込予定者ごとの振込予定金額が振込予定記憶部３２に格納された状況を示している。表示部５は、図３に示した振込予定データベース７０における振込予定識別子を含む「振込予定登録Ａ００１」というメッセージを表示する領域５Ｈ、及び振込予定者と振込予定金額とを関連付けて表示する領域５Ｍを含む。具体的には、図４（ｃ）に示す例において、振込予定者である「Ａさん」、「Ｂさん」及び「Ｃさん」のそれぞれに対して、「８，０００円」、「１０，０００円」及び「８，０００円」の振込予定金額が関連付けられたことが表示される。これらの情報は、図３に示した振込予定データベース７０のデータ構造において、集金者名「Ｓ」及び集金者識別子「００２５６」とも関連付けられている。
【００４１】
このようにして、一つの振込予定識別子を、複数の振込予定者及び振込予定金額に関連付けることができる。この例においては、領域５Ｈに振込予定者識別子を含むメッセージを表示しているが、これに限定されず、領域５Ｈには、振込予定データベース７０において振込予定者識別子との関連付けを有するコメント情報等を表示してもよい。例えば、「お花見食事会の振込予定登録」等の表示を、領域５Ｈに表示してもよい。
【００４２】
図５は、具体的には、イベント参加者等の振込予定者による操作画面の操作を例示している。図５（ａ）に示す操作画面は、現金自動預払機１の表示部５の所定領域内に、「集金振込」を表す画面上のボタン５Ｊを含む。図４（ａ）と共通する箇所は省略する。顧客により、画面上のボタン５Ｊ「集金振込」が選択されると、表示部５は、図５（ｂ）のようになる。
【００４３】
図５（ｂ）において、表示部５には、「集金振込」というメッセージを表示する領域５Ｋ、「集金振込Ａ００１」という表示を含む画面上のボタン５Ｌ、「まとめて振込」という表示を含む画面上のボタン５Ｍ、「戻る」という表示を含む画面上のボタン５Ｚが表示される。画面上のボタン５Ｌとしては、適宜、「集金振込Ａ００２」等の他の集金予定識別子を含む複数のボタンも表示される。集金振込のための画面上のボタンは、サーバ３０が振込予定データベース７０に格納されている情報から、現金自動預払機１の利用者を振込予定者として検索した集金予定識別子に基づいて表示される。例えば、現金自動預払機１の利用者が、振込予定者識別子「１０４３２」に関連付けられる利用者である場合に、サーバ３０は、図３に示した振込予定データベース７０に格納されている情報から、集金予定識別子「Ａ００１」、「Ａ００２」及び「Ａ００３」を検索し、これらの集金予定識別子に基づいて、集金振込のための画面上のボタンが表示部５に表示される。イベント参加者等の振込予定者が画面上のボタン５Ｌを選択すると、表示部５は、図５（ｃ）のようになる。
【００４４】
図５（ｃ）は、前述の画面上のボタン５Ｌが選択され、集金予定識別子「Ａ００１」に関連付けられている振込予定が処理される状況を表している。この例では、メッセージを表示する領域５Ｋには「集金振込Ａ００１」が表示され、特定の集金予定識別子に関連付けられる振込が行われることが示される。更に、表示部５は、「ＡＡＡ銀行・ＢＢＢ支店宛に８，０００円の振込」というメッセージを含む画面上のボタン５Ｎを含む。このメッセージは、図３に示した振込予定データベース７０において、振込予定者に対して当該集金予定識別子が関連付けられている振込予定金額を含み、適宜、集金者識別子に関連付けられたコメント情報又は集金者識別子に関連付けられた集金用銀行口座等の情報を含む。振込予定者が画面上のボタン５Ｎを選択することにより、サーバ３０は、振込照合部３３を用いて、振込金額（ボタン５Ｎにより指示された情報）と、振込予定金額（振込予定データベース７０に記憶された情報）とを照合する。照合の結果は、振込情報制御部３１を用いて、例えば「照合できました」等のメッセージ（図示せず）を表示部５に表示することにより、振込予定者に報知することができる。更に、銀行口座間の送金処理を行う銀行サーバ（図示せず）等により、所定の送金処理が行われる。送金処理の結果は、振込情報制御部３１を用いて、例えば「送金は本日中に処理されます」等のメッセージ（図示せず）を表示部５に表示することにより、振込予定者に報知することができる。
【００４５】
上述のサーバ３０による照合は、例えば、振込予定データベース７０に記憶された、振込予定者識別子「１０４３２」に関連付けられた振込予定金額と、集金予定識別子「Ａ００１」に関連付けられた振込予定金額との間で行うことができる。本発明に係る自動取引装置としてのサーバ３０の振込照合部３３による照合は、これに限定せず、振込予定者名「Ａ」に関連付けられた振込予定金額と、集金者識別子「００２５６」に関連付けられた振込予定金額との間での照合を行うこともできる。振込予定データベース７０のデータ構造においては、振込予定者識別子は振込予定者名と一対一に対応しており、集金者識別子と集金者名とは一対一に対応しているため、図５（ｃ）を示して説明した振込照合部３３による照合は、振込予定者識別子を振込予定者名に置き換え、集金者識別子を集金者名に置き換えて行うこともできる。したがって、本発明に係る振込金額照合装置としてのサーバ３０は、異なる金融機関の間で送受信される送金処理等においても、振込予定者氏名及び集金者名を用いて、入金処理による振込金額と振込予定記憶部に記憶された振込予定金額とを照合することができ、照合の結果を振込予定者に報知することができる。
【００４６】
図６は、具体的には、イベント幹事等の集金者による操作画面の操作を例示しており、前述の図５に示した振込予定者からの振込が行われた後の状況を表している。一例として、図５に示したように、「集金振込Ａ００１」に対する振込が行われた場合について説明する。
【００４７】
図６（ａ）は、図４（ａ）に示した操作画面と同様であるが、表示部５は、集金者に対して振込があったことを示すメッセージの表示領域５Ｐを含むことも可能である。集金者が画面上のボタン５Ｄ「集金予定登録」を選択することにより、表示部５は、図６（ｂ）のようになる。
【００４８】
図６（ｂ）に示すように、表示部５は、図４（ｃ）に示した状況と同様であるが、「集金振込Ａ００１」に対する振込が行われたことにより、メッセージを表示する領域５Ｈには「登録済み集金予定Ａ００１」が表示され、図４（ｃ）に示した振込予定者「Ａさん」については入金がすでに行われたことが、「入金済」というメッセージの表示領域５Ｒによって示されている。この「入金済」というメッセージは、「集金振込Ａ００１」における「Ａさん」の振込金額に対する、サーバ３０の振込照合部３３による照合の結果として表示される。
【００４９】
図６（ｃ）は、集金者が他の集金予定識別子についての集金予定登録を表示部５に表示している状況を示している。この例では、「登録済み集金予定Ａ００２」において、振込予定者である「Ａさん」は、まだ振込を行っておらず、振込予定金額「４，０００円」が未納であることが示されている。
【００５０】
このように、図４から図６に示したように、本発明に係る振込金額照合装置としてのサーバ３０は、振込予定データベース７０のデータ構造を用いて振込予定者からの振込予定金額を振込予定記憶部３２に記憶し、振込照合部３３を用いて振込金額と振込予定金額とを照合し、振込情報制御部３１を用いて照合の結果を振込予定者に報知することができる。
【００５１】
図７は、具体的には、イベント参加者等の振込予定者による操作画面の操作を例示している。図７に示す操作画面は、図５（ｂ）に示す操作画面において、振込予定者が画面上のボタン５Ｍ「まとめて振込」を選択した場合に表示される。この画面上のボタン５Ｍ「まとめて振込」が選択されることにより、サーバ３０は、振込予定データベース７０において特定の振込予定者識別子に関連付けられる複数の集金者識別子を検索し、それぞれの集金者識別子に関連付けられる集金者名を検索することができる。これらの検索結果は、現金自動預払機１に送信され、現金自動預払機１は複数の集金者識別子及び集金者名を受信することができる。
【００５２】
図７（ａ）に例示する操作画面においては、メッセージを表示する領域５Ｋには「まとめて集金振込」が表示され、「幹事Ｓさん」という集金者名の表示を含む画面上のボタン５Ｓ、「幹事Ｔさん」という集金者名の表示を含む画面上のボタン５Ｔ、及び「戻る」という表示を含む画面上のボタン５Ｚが表示される。顧客により、画面上のボタン５Ｓ「幹事Ｓさん」が選択されると、表示部５は、図７（ｂ）のようになる。
【００５３】
図７（ｂ）において、表示部５には、「幹事Ｓさん宛」というメッセージを表示する領域５Ｕ、及び金額を入力するための領域５Ｖが表示される。「幹事Ｓさん宛」というメッセージは、特定の集金者識別子に関連付けられる振込をまとめて行うことを、振込予定者に示している。領域５Ｖに振込金額が入力されると、サーバ３０に、この入力された金額が送信される。すなわち、サーバ３０には、特定の集金者識別子に対して入力された振込金額の情報が送信される。図７（ｂ）の例においては、振込予定者は、領域５Ｖに「７０，０００円」という金額を入力したことを示している。サーバ３０は、振込照合部３３を用いて、振込金額（領域５Ｖに入力された情報）と、振込予定金額（振込予定データベース７０に記憶された、特定の集金者識別子に関連付けられる振込予定金額を合計した情報）とを照合し、照合の結果を現金自動預払機１に送信する。現金自動預払機１が、この照合の結果をサーバ３０から受信すると、表示部５は、図７（ｃ）のようになる。
【００５４】
図７（ｃ）に示す例においては、表示部５は、「幹事Ｓさんからの集金予定は３件、計１５，５００円です。続行しますか？」というメッセージを表示する領域５Ｙ、及び「１５，５００円振込」という表示を含む画面上のボタン５Ｘを含む。領域５Ｙに表示されるメッセージは、サーバ３０の振込情報制御部３１による振込予定金額の合計金額を算出によって、生成される。例えば、サーバ３０は、図３に示した振込予定データベース７０において、振込予定者が振込予定者識別子「１０４３２」に関連付けられており、この振込予定者識別子との関連付けを有する集金予定識別子「Ａ００１」、「Ａ００２」及び「Ａ００３」の振込予定額がそれぞれ「８，０００円」、「４，０００円」及び「３，５００円」であることから、振込情報制御部３１を用いてこれらの合計金額を算出できる。領域５Ｙに表示されるメッセージにより、前述の図５（ｂ）に示した振込予定者により入力された金額「７０，０００円」と、振込予定金額の合計とが一致していないという照合の結果が、振込予定者に報知される。サーバ３０は、この照合の結果に基づいて、画面上のボタン５Ｘに表示する振込予定金額の合計の情報を振込情報制御部３１を用いて生成できる。振込予定者が画面上のボタン５Ｘを選択すると、サーバ３０に送金指示が送信される。振込予定者により入力された金額と、振込予定金額の合計とが一致していた場合の照合の結果は、振込情報制御部３１を用いて、例えば「照合できました」等のメッセージを領域Ｙに表示することにより、振込予定者に報知することができる。次いで、銀行口座間の送金処理を行う銀行サーバ（図示せず）等により、所定の送金処理が行われる。送金処理の結果は、振込情報制御部３１を用いて、例えば「送金は本日中に処理されます」等のメッセージ（図示せず）を表示部５に表示することにより、振込予定者に報知することができる。
【００５５】
このようにして、振込金額照合装置としてのサーバ３０は、振込予定者が入力した振込金額と、特定の集金者識別子に関連付けられる複数の振込金額の合計とを照合し、照合の結果を振込予定者に報知することができる。
【００５６】
図８は、具体的には、イベント幹事等の集金者による操作画面の操作を例示しており、前述の図７に示した振込予定者からの「まとめて振込」（図５（ｂ）の画面上のボタン５Ｍ）が行われた後の状況を表している。図８（ａ）において、表示部５に表示される情報は、図６（ａ）と共通である。
【００５７】
図８（ｂ）は、図８（ａ）において集金者が画面上のボタン５Ｄ「集金予定登録」を指定した後の状況を表している。表示部５のメッセージを表示する領域５Ｈには「登録済み集金予定（合算）」が表示される。領域５Ｈのメッセージは、振込予定者に「まとめて振込」が行われた集金予定がある場合に、サーバ３０の振込情報制御部３１により自動的に設定されてもよく、画面上のボタン５Ｄ「集金予定登録」の指定後にサブメニューを設け、サブメニューの中から選択されてもよい。表示部５は、更に、図４（ｃ）及び図６（ｂ）と同様に、振込予定者ごとの振込予定金額、及びすでに入金が行われた振込予定者について「入金済」というメッセージの表示領域５Ｒを含む。図８（ｂ）に示す表示部５は、特定の集金者識別子に関連付けられる複数の振込金額の合計に対する入金を表しているので、図８（ｂ）におけるメッセージの表示領域５Ｒは、「Ａさん」からの複数の振込が完了したことを表している。「Ａさん」からの複数の振込の一部が未納である場合には、サーバ３０は、振込情報制御部３１を用いて、未納金額を領域５Ｑに表示してもよい。また、前述の図６（ｃ）に示したように、表示部５には、特定の集金予定識別子についての集金予定登録を表示することもできる。したがって、表示部５は、特定の集金予定における未納者及び集金予定金額を表示することも可能である。
【００５８】
このように、図７及び図８に示したように、本発明に係る振込金額照合装置としてのサーバ３０は、振込予定データベース７０のデータ構造を用い振込予定者からの振込予定金額を振込予定記憶部３２に記憶し、振込照合部３３を用いて振込予定者による振込金額と複数の集金予定識別子に関連付けられている振込予定金額の合計額とを照合し、振込情報制御部３１を用いて照合の結果を振込予定者に報知することができる。
【００５９】
図９は、本発明の実施形態に係る集金予定登録の処理を表すフロー図である。この処理は、振込金額照合装置としてのサーバ３０において行われる。
【００６０】
ステップＳ１０１で、サーバ３０は、集金予定登録を開始する。具体的には、端末４５において集金予定登録を表す画面上のボタン５Ｄ（図４（ａ）又は図６（ａ））が選択されたことが端末４５からサーバ３０に送信され、サーバ３０は、集金予定登録を開始する。
【００６１】
ステップＳ１０２で、サーバ３０は、集金予定の入力を受け付ける。すなわち、サーバ３０は、振込予定者及び振込予定金額の入力を受け付ける。
【００６２】
ステップＳ１０３で、サーバ３０は、集金予定を登録する。具体的には、ステップＳ１０２で受け付けた振込予定者及び振込予定金額の入力に基づき、振込予定データベース７０のデータ構造を用いてこれらを関連付け、更に集金予定識別子を関連付けて、振込予定記憶部３２に記憶する。
【００６３】
ステップＳ１０４で、サーバ３０は、集金予定登録を終了するかどうかを判定する。端末４５から終了の指示を受信した場合は終了し、集金予定の入力を更に受信した場合は、ステップＳ１０２に進み、集金予定の入力を受け付ける。
【００６４】
図１０は、本発明の実施形態に係る集金振込の処理を表すフロー図である。この処理は、ネットワーク２０に接続される端末４５としての現金自動預払機１等と、振込金額照合装置としてのサーバ３０との間で行われる。以下、現金自動預払機１を端末４５として例示するが、ユーザ端末４０が用いられる場合についても同様に処理を行うことができる。
【００６５】
ステップＳ１１０で、現金自動預払機１は、集金振込を開始する。具体的には、端末４５において利用者の認証が行われた後に、集金振込を表す画面上のボタン５Ｊ（図５（ａ））が選択されたことが端末４５からサーバ３０に送信される。サーバ３０は、利用者の認証により、振込予定データベース７０の振込予定者識別子を現金自動預払機１の利用者に関連付け、以後の処理を行う。
【００６６】
ステップＳ１１１で、サーバ３０は、現金自動預払機１からの集金振込を受信することに応じて、振込予定を検索する。すなわち、振込予定データベース７０のデータ構造を用いて、振込予定記憶部３２に記憶されている情報から、振込予定者識別子との関連付けを有する集金予定識別子及び振込予定金額を検索する。
【００６７】
ステップＳ１１２で、サーバ３０は、検索結果を送信する。すなわち、前段のステップＳ１１１で検索された、振込予定者識別子との関連付けを有する集金予定識別子及び振込予定金額が、現金自動預払機１に送信される。このときに、振込予定者識別子に以前の不足金額が関連付けられている場合には、以前の不足金額も送信することができる。
【００６８】
ステップＳ１１３で、現金自動預払機１は、サーバ３０から検索結果を受信することに応じて、受信した集金予定識別子ごとに集金振込を受け付ける。例えば、現金自動預払機１の表示部５には、図５（ｂ）に示したように、「集金振込Ａ００１」及び「集金振込Ａ００２」等の、集金予定識別子ごとに画面上のボタン５Ｌ等が表示される。
【００６９】
ステップＳ１１４で、現金自動預払機１は、振込金額の入力を受け付ける。これにより、サーバ３０に、特定の集金予定識別子に対して入力された振込金額の情報が送信される。
【００７０】
ステップＳ１１５で、サーバ３０は、現金自動預払機１から振込金額の情報を受信することに応じて、受信した振込金額と、ステップＳ１１１で検索した振込予定金額とを、振込照合部３３を用いて照合する。
【００７１】
ステップＳ１１６で、サーバ３０は、照合した振込金額が、振込予定金額と相違するかどうかを判定する。判定の結果が真である（相違する）場合は、サーバ３０は、現金自動預払機１に不足金額又は振込予定金額の情報を送信する。判定の結果が偽である（相違しない）場合は、ステップＳ１１８に進む。
【００７２】
ステップＳ１１７で、現金自動預払機１は、振込予定金額の集金振込を実行する。このときに、ステップＳ１１６おいてサーバ３０による判定が真である場合には、現金自動預払機１はサーバ３０から不足金額又は振込予定金額の情報を受信している。現金自動預払機１は、サーバ３０からこれらの情報を受信した場合には、受信した金額を用いて振込予定金額を変更する。したがって、ステップＳ１１４において入力された振込金額を用いて、あるいはサーバ３０から受信した不足金額又は振込予定金額を用いて、集金振込が実行される。
【００７３】
ステップＳ１１８で、サーバ３０は、入金処理を実行する。具体的には、サーバ３０は、特定の集金予定識別子に関連付けられる振込予定金額に対して、所定の入金処理を行う。更に、サーバ３０は、入金処理の結果を現金自動預払機１に送信する。
【００７４】
ステップＳ１１９で、現金自動預払機１は、サーバ３０から入金処理の結果を受信する。例えば、現金自動預払機１は、表示部５に、振込金額が照合されて入金処理が完了したことのメッセージを表示し、現金自動預払機１の利用者に対して、照合の結果を含む入金処理の完了を報知することができる。
【００７５】
このようにして、現金自動預払機１及び振込金額照合装置としてのサーバ３０を用いて、振込予定記憶部３２に記憶された特定の集金予定識別子に関連付けられている振込予定金額と、入金処理による振込金額とを照合し、入金処理を行うことができる。
【００７６】
図１１は、本発明の実施形態に係る複数の集金振込をまとめて行う処理を表すフロー図である。図１１と共通する箇所は説明を省略する。
【００７７】
ステップＳ１２４で、現金自動預払機１は、複数の集金振込をまとめて行う指示をサーバ３０に送信する。この指示は、図５（ｂ）に示した画面上のボタン５Ｍ「まとめて振込」を利用者が指定することにより行うことができる。
【００７８】
ステップＳ１２５で、サーバ３０は、現金自動預払機１から複数の集金振込をまとめて行う指示を受信することに応じて、集金者識別子ごとに振込予定金額を合算する。更に、サーバ３０は、合算の結果を現金自動預払機１に送信する。
【００７９】
ステップＳ１２６で、現金自動預払機１は、振込金額の合計額の入力を受け付ける。例えば、現金自動預払機１の表示部５には、図７（ｂ）に示したように、「幹事Ｓさん宛」の集金者識別子に関連付けられる情報が表示され、特定の幹事等に対してまとめて振込を行うことが表示される。振込金額の合計額の入力により、サーバ３０に、特定の集金者識別子に対して入力された振込金額の合計の情報が送信される。
【００８０】
ステップＳ１２７で、サーバ３０は、複数の集金振込をまとめた合計の振込金額と、ステップＳ１２３で検索した振込予定金額（複数の振込予定金額の合計）とを、振込照合部３３を用いて照合する。
【００８１】
ステップＳ１２８で、サーバ３０は、照合した合計の振込金額が、合計の振込予定金額と相違するかどうかを判定する。判定の結果が真である（相違する）場合は、サーバ３０は、現金自動預払機１に不足金額又は振込予定金額の情報を送信する。判定の結果が偽である（相違しない）場合は、ステップＳ１３０に進む。
【００８２】
ステップＳ１２９で、現金自動預払機１は、振込予定金額の合計額の集金振込を実行する。このときに、ステップＳ１２８おいてサーバ３０による判定が真である場合には、現金自動預払機１はサーバ３０から不足金額又は振込予定金額の情報を受信している。現金自動預払機１は、サーバ３０からこれらの情報を受信した場合には、受信した金額を用いて振込予定金額の合計を変更する。したがって、ステップＳ１２６において入力された合計の振込金額を用いて、あるいはサーバ３０から受信した不足金額又は振込予定金額の合計を用いて、集金振込が実行される。
【００８３】
ステップＳ１３０で、サーバ３０は、振込予定金額の合計額について入金処理を実行する。
【００８４】
このようにして、現金自動預払機１及び振込金額照合装置としてのサーバ３０を用いて、振込予定記憶部３２に記憶された複数の集金予定識別子に関連付けられている振込予定金額と、入金処理による振込金額とを照合し、入金処理を行うことができる。
【００８５】
図１２は、本発明の実施形態に係る現金自動預払機１、サーバ３０及びユーザ端末４０Ａ、４０Ｂのハードウェア構成の一例を示す図である。本発明の実施形態に係る振込金額照合装置としてのサーバ３０、端末としての現金自動預払機１、ユーザ端末４０Ａ及び４０Ｂのハードウェア構成の一例を示す図である。サーバ３０、現金自動預払機１、ユーザ端末４０Ａ及び４０Ｂは、ホスト・コントローラ１００１により相互に接続されるＣＰＵ１００２、ＲＡＭ１００３、グラフィック・コントローラ１００４、及び表示装置１００５を有するＣＰＵ周辺部と、入出力コントローラ１００６によりホスト・コントローラ１００１に接続される通信インターフェイス１００７、ハードディスクドライブ１００８、及びＣＤ−ＲＯＭドライブ１００９を有する入出力部と、入出力コントローラ１００６に接続されるＲＯＭ１０１０、フレキシブルディスク・ドライブ１０１１、及び入出力チップ１０１２を有するレガシー入出力部とを備える。
【００８６】
ホスト・コントローラ１００１は、ＲＡＭ１００３と、高い転送レートでＲＡＭ１００３をアクセスするＣＰＵ１００２、及びグラフィック・コントローラ１００４とを接続する。ＣＰＵ１００２は、ＲＯＭ１０１０、及びＲＡＭ１００３に格納されたプログラムに基づいて動作し、各部の制御を行う。グラフィック・コントローラ１００４は、ＣＰＵ１００２等がＲＡＭ１００３内に設けたフレーム・バッファ上に生成する画像データを取得し、表示装置１００５上に表示させる。これに代えて、グラフィック・コントローラ１００４は、ＣＰＵ１００２等が生成する画像データを格納するフレーム・バッファを、内部に含んでもよい。
【００８７】
入出力コントローラ１００６は、ホスト・コントローラ１００１と、比較的高速な入出力装置であるハードディスクドライブ１００８、通信インターフェイス１００７、ＣＤ−ＲＯＭドライブ１００９を接続する。ハードディスクドライブ１００８は、ＣＰＵ１００２が使用するプログラム、及びデータを格納する。通信インターフェイス１００７は、外部に接続してプログラムまたはデータを送受信する。ＣＤ−ＲＯＭドライブ１００９は、ＣＤ−ＲＯＭ１０２０からプログラムまたはデータを読み取り、ＲＡＭ１００３を介してハードディスクドライブ１００８、及び通信インターフェイス１００７に提供する。
【００８８】
また、入出力コントローラ１００６には、ＲＯＭ１０１０と、フレキシブルディスク・ドライブ１０１１、及び入出力チップ１０１２の比較的低速な入出力装置とが接続される。ＲＯＭ１０１０は、サーバ３０、現金自動預払機１、ユーザ端末４０Ａ及び４０Ｂが起動時に実行するブート・プログラムや、これらのハードウェアに依存するプログラム等を格納する。フレキシブルディスク・ドライブ１０１１は、フレキシブルディスク１０２１からプログラムまたはデータを読み取り、ＲＡＭ１００３を介してハードディスクドライブ１００８、及び通信インターフェイス１００７に提供する。入出力チップ１０１２は、フレキシブルディスク・ドライブ１０１１や、例えばパラレル・ポート、シリアル・ポート、キーボード・ポート、マウス・ポート等を介して各種の入出力装置を接続する。
【００８９】
ＣＰＵ１００２が実行するプログラムは、フレキシブルディスク１０２１、ＣＤ−ＲＯＭ１０２０、またはＩＣカード等の記録媒体に格納されて利用者によって提供される。プログラムは、記録媒体からハードディスクドライブ１００８にインストールされ、ＲＡＭ１００３に読み出されてＣＰＵ１００２により実行される。
【００９０】
ＣＰＵ１００２により実行されるプログラムは、コンピュータを、図１〜図１１に関連して説明したサーバ３０、現金自動預払機１、ユーザ端末４０Ａ及び４０Ｂとして機能させる。また、ＣＰＵ１００２により実行される振込金額照合プログラムは、振込予定者及び前記振込予定者からの振込予定金額を記憶する振込予定記憶ステップと、入金処理に応じて、前記入金処理による振込金額と前記振込予定記憶ステップにおいて記憶された前記振込予定金額とを照合する振込照合ステップと、前記振込照合ステップにおける照合の結果を前記振込予定者に報知する振込情報制御ステップと、を前記コンピュータに実行させる。
【００９１】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００９２】
１    現金自動預払機
２０    ネットワーク
３０    サーバ
３１    振込情報制御部
３２    振込予定記憶部
３３    振込照合部
３７    識別情報入力部
４０    ユーザ端末
５０    振込金額照合システム
７０    振込予定データベース
【図１】
2012038172.tif 000003
【図２】
2012038172.tif 000004
【図３】
2012038172.tif 000005
【図４】
2012038172.tif 000006
【図５】
2012038172.tif 000007
【図６】
2012038172.tif 000008
【図７】
2012038172.tif 000009
【図８】
2012038172.tif 000010
【図９】
2012038172.tif 000011
【図１０】
2012038172.tif 000012
【図１１】
2012038172.tif 000013
【図１２】
2012038172.tif 000014